(57)【要約】【課題】コンクリート建物へのサッシ枠取付作業において、溶接作業による取付工法にかわるボルト・ナット類によるサッシ枠取付工法に用いる躯体側取付材の提供を目的としたものである。【解決手段】平板状材にボルト貫通用の長孔を設けた中継調節部と、該中継調節部に取り付けた抜け出し防止部を有するコンクリートへの埋込部、および該埋込部と中継調節部との間を区切る外周部に鍔状の型枠取付部を有するドーム状の仕切部よりなる躯体側取付材である。【選択図】図１
2006063777.tif 000002
【特許請求の範囲】
【請求項１】
躯体側取付材１を中継調節部２および埋込部３ならびに仕切部４よりなるものとし、該中継調節部２は平板状材にボルト貫通用の長孔６を設けて平状または立てた形状としたもの、また埋込部３は中継調節部２を延長してＬ型の形状を含むコンクリート抜け出し防止部を設けたものまたは中継調節部２と同材あるいは別材にてＬ型の形状を含むコンクリート抜け出し防止部を設けて中継調節部２に取り付けたもの、仕切部４は外周部に鍔状の型枠取付部５を有したドーム状材を中継調節部２と埋込部３との間に取り付けてコンクリート打設時における中継調節部２へのコンクリートの流入を防止するようにしたサッシ枠取付用の躯体側取付材。
【請求項２】
躯体側取付材１の中継調節部２を平板状材にボルト貫通用の長孔６を設けた中継調節部２としたものにかえて、平板状材にボルト貫通用の丸孔８を設けた中継調節部２とした請求項１のサッシ枠取付用の躯体側取付材。
【発明の詳細な説明】
【技術分野】
【０００１】  本発明は、建物に出入口や窓類を設けるために取り付けるサッシ枠取付用の躯体側取付材に関するものである。
【背景技術】
【０００２】  建物に設ける出入口や窓類、または給排気・換気用のガラリ、あるいは設備機器類の点検用の扉など（以下「窓類」という）のうち金属製の枠類（以下「サッシ枠」という）を有する窓類を取り付けるときには、建物躯体側取付材とサッシ枠側取付材を溶接作業により取り付けるのが従来工法であるが、この工法では溶接作業時に発生する火花被害や火気使用による危険などのために溶接取付以外のサッシ枠取付工法の開発が要望されていた。
そのための方法として、サッシ枠側に設けられた連結フィンと躯体側に設けられた被連結フィンとを螺子止め固定する方法も特開２００４−１２４３５５号に開示されはいるが、この方法では躯体側に設ける被連結フィンを躯体コンクリート打設後に取り付ける工法であるために、躯体コンクリート打設時にはすでに躯体側取付材が躯体に取り付けられていた従来工法とは大きく作業工程が異なることになるものであった。
【発明の開示】
【発明が解決しようとする課題】
【０００３】  そこで本発明では、従来に準ずる作業工程の中で躯体コンクリート打設後でも溶接作業を必要としないでサッシ枠を躯体に取り付けることができるようにした躯体側の取付材の提供を目的としたものである。
【発明を解決するための手段】
【０００４】  躯体側取付材を中継調節部および埋込部（躯体への固定部）ならびに仕切部よりなるものとし、該中継調節部は平板状材（平板材、Ｌ型・コ型等の平板状部を有する型材、丸棒・角棒・異形鉄筋等の棒材類の一部を平板状に加工して平板状部を有する形状としたものなど以下「平板状材」という）にボルト貫通用の長孔を設けて平状または立てた形状としたもの、また埋込部は中継調節部を延長してＬ型の形状を含むコンクリート抜け出し防止部を設けたものまたは中継調節部と同材あるいは別材にてＬ型の形状を含むコンクリート抜け出し防止部を設けて中継調節部に取り付けたもの、仕切部は外周部に鍔状の型枠取付部を有したドーム状材を中継調節部と埋込部との間に取り付けてコンクリート打設時における中継調節部へのコンクリートの流入を防止するようにしたサッシ枠取付用の躯体側取付材である。
【０００５】  また躯体側取付材の中継調節部に設けるボルト貫通用の孔は、前記した平板状材にボルト貫通用の長孔を設けた中継調節部としたものにかえて、平板状材にボルト貫通用の丸孔を設けた中継調節部としたサッシ枠取付用の躯体側取付材でもよい。
【０００６】  この躯体側取付材を使用するときには、コンクリート打設前の型枠組立時にサッシ枠側に取り付けられる取付材（以下「サッシ枠側取付材」という）の位置に合わせて躯体側取付材を型枠に取り付けるものである。このとき取り付ける躯体側取付材は、サッシ枠側取付材の形状・機能との関わりを検討考慮した上で、該躯体側取付材の中継調節部の位置および向きを決定して型枠に取り付けるものである。
この躯体側取付材の中継調節部は、サッシ枠取付時におけるサッシ枠の幅方向（見込み方向、以後「出入り」という）の位置調節をすることを目的として設けたものである。
コンクリート打設・型枠解体後におけるサッシ枠取付時には、該躯体側取付材の中継調節部に直接サッシ枠側取付材をボルト・ナット類にて取付固定する、またはサッシ枠側取付材と躯体側取付材との間に取次材として躯体側連結材を躯体側取付材の中継調節部に取り付けた上で、該躯体側連結材にサッシ枠側取付材をボルト・ナット類にて取付固定してもよい。
【０００７】  なを、コンクリート打設時における躯体側取付材の中継調節部へのコンクリート流入防止に関しては、中継調節部と埋込部との間に取り付けた仕切部にかえて、躯体側取付材の中継調節部を型枠取付時には発泡材等により覆い、コンクリート打設後には覆われていた発泡材等を除去して中継調節部を露出させたものとしてもよい。
【０００８】  また、躯体側取付材の中の中継調節部をコンクリート造以外の鉄骨造、またはＡＬＣ造等に取付使用する場合でも、現場搬入前の加工工場あるいは工事現場内の溶接可能場所における中継調節部の事前取付作業により、現場でのサッシ枠取付時における溶接作業の排除が可能となるものである。
【発明の効果】
【０００９】  本考案による躯体側取付材を用いるときには、従来の施工方法であるサッシ枠取付時での溶接作業が不要となるために、溶接作業時に発生する火花被害や火災発生の危険が解消されるとともに、溶接工の資格をもたないために出来なかった有能で経験豊富な作業者によるサッシ枠取付作業という仕事が出来るという効果もある。
【発明を実施するための最良の形態】
【００１０】  本発明を実施するための最良の形態について図１に基づいて説明する。
図１は中継調節部２に長孔６を有する躯体側取付材１の断面図および斜視図である。躯体側取付材１は中継調節部２、および埋込部３、ならびに仕切部４よりなるもので、図１の中の躯体側取付材１ａは、躯体側取付材１ａの中継調節部２ａはコ状とした丸棒材の下辺部を横長に立てた形状となる平板状としたものにボルト貫通用の長孔６を設けたもの、また埋込部３ａは中継調節部２ａの延長上にある丸棒材のコ状竪部と上辺部によるＬ型状でコンクリート抜け出し防止部とし、該埋込部３ａと中継調節部２ａとの間には板材を加工した外周部に釘孔９のある鍔状の型枠取付部５を有するドーム状の仕切部４ａを取り付けてコンクリート打設時における中継調節部２ａへのコンクリートの流入を防止するようにしたものである。【００１１】  以下実施の形態例および実施例について説明する。
図１の中の躯体側取付材１ｂは、前記にて示した躯体側取付材１ａの中継調節部２ａを、コ状とした丸棒材の下辺部を横長に立てた形状となる平板状としたものにボルト貫通用の長孔６を設けたものにかえて、Ｌ型材１２の両平板状部にボルト貫通用の長孔６・６を有する中継調節部２ｂとし、該中継調節部２ｂにＬ型状に折り曲げた丸棒材を埋込部３ｂとして取付溶接したものである。【００１２】  図２は中継調節部２に丸孔８を有する躯体側取付材１の断面図および斜視図である。図２の中の躯体側取付材１ｃは、図１の躯体側取付材１ａの中継調節部２ａをコ状とした丸棒材の下辺部を横長に立てた形状となる平板状としたものにボルト貫通用の長孔６を設けたものにかえて、Ｌ状とした丸棒材の竪部の端部を平板状としてボルト貫通用の丸孔８を設けて立てた形状とて中継調節部２ｃとしたもの、またコンクリートへの埋込部３ｃは中継調節部２ｃの延長上にあるＬ型状で形成された丸棒材の部分となる。【００１３】  図２の中の躯体側取付材１ｄは、図１の躯体側取付材１ｂの中継調節部２ｂを、Ｌ型材１２の両平板状部にボルト貫通用の長孔６・６を有するものにかえて、Ｌ型材１２の両平板状部にボルト貫通用の丸孔８・８を有するものを中継調節部２ｄとしたものである。
【実施例】
【００１４】  図３は躯体側連結材１０の取り付けられた躯体側取付材１の斜視図、図４は躯体側取付材１ｅに取り付ける躯体側連結材１０ｅの斜視図と正面図である。躯体側取付材１ｅは、図２に示した躯体側取付材１ｃの中継調節部２ｃの丸孔８に最初からサッシ枠側取付材との間の取次材として図４に示した長短のあるＬ型材１３の長方平板状部に長孔６を設けてもう一方の短方平板状部を別途Ｌ型材１２に回動可能に取り付け、さらに該別途Ｌ型材１２を中継調節部２ｃの丸孔８に回動可能に連結したものである。この躯体側連結材１０ｅは図２に示した躯体側取付材１ｃでは中継調節部２ｃによる横移動調節が出来ないために低下するサッシ枠取付時の位置調節機能を補うものとなる。
この躯体側取付材１ｅは、図３に示すように躯体側取付材１ｅを型枠に取り付けるときには躯体側連結材１０ｅを横向きにして取り付け、コンクリート打設後のサッシ枠取付時には躯体側連結材１０ｅを下向きにすることによって、該躯体側連結材１０ｅは縦方向と横方向（幅方向）への回動が可能となり、中継調節部２による横移動調節が出来ないために低下するサッシ枠取付時の調節機能を補うものとなる。【００１５】  図５は躯体側連結材１０が取り付けられた躯体側取付材１ａの使用例である。
本例は前記にて示した図１の躯体側取付材１ａの中継調節部２ａに、Ｌ型材１２の両平板状部に長孔６・６の設けられた躯体側連結材１０を最初からボルト・ナット１５にて仮止めしたものを型枠に取り付けた状態（躯体側取付材斜視図およびクーク断面図）と、コンクリート打設・型枠解体後のサッシ枠取付使用時における躯体側取付材１ａと躯体側連結材１０の状態（キーキ断面図、クーク断面図）を示したものである。
ここに示したものは躯体側連結材１０を最初から躯体側取付材１ａに取り付けてあるために、型枠解体後のサッシ枠取付時には取付位置の確定したサッシ枠の出入り調節をした後に緩めたボルト・ナット１５を中継調節部２ａに堅く締め直し躯体側連結材１０を固定すればよいことになる。
【図面の簡単な説明】
【００１６】
【図１】中継調節部に長孔を有する躯体側取付材の断面図および斜視図
【図２】中継調節部に丸孔を有する躯体側取付材の断面図および斜視図
【図３】躯体側連結材の取り付けられた躯体側取付材の斜視図
【図４】中継調節部に取り付ける躯体側連結材の斜視図および正面図
【図５】躯体側取付材１ａの使用例
【符号の説明】
【００１７】    １・  １ａ〜  １ｅ・・・・・躯体側取付材
２・  ２ａ〜  ２ｄ・・・・・中継調節部
３・  ３ａ〜  ３ｄ・・・・・埋込部
４・  ４ａ〜  ４ｅ・・・・・仕切部
５・              ・・・・・型枠取付部
６・              ・・・・・長孔
８・              ・・・・・丸孔
９・              ・・・・・釘孔
１０・１０ｅ        ・・・・・躯体側連結材
１２・              ・・・・・Ｌ型材
１３・              ・・・・・長短のあるＬ型材
１５・              ・・・・・ボルト・ナット
【図１】
2006063777.tif 000003
【図２】
2006063777.tif 000004
【図３】
2006063777.tif 000005
【図４】
2006063777.tif 000006
【図５】
2006063777.tif 000007